(57)【特許請求の範囲】
【請求項１】
赤外線ビームを出射する投光部と、前記投光部からの赤外線ビームを受光する受光部とを備え、人体等による前記赤外線ビームの遮断により人体等を検知する防犯用センサ装置であって、
前記投光部のカバーが外されたとき、投光部からの赤外線ビームの出射が継続されるとともに、
前記投光部に、投光部のカバーが外されたとき作動し、その状態を示す識別信号を出力する自動作動スイッチと、前記識別信号を投光部から受光部に送出させる送信回路とが設けられ、
前記受光部に、前記送信回路からの識別信号を受信する受信回路と、光軸調整作業時に前記送信回路と前記受信回路とが接続された状態で前記識別信号を受信して前記カバーの取外しを報知するための信号を出力する認識回路とが設けられている防犯用センサ装置。
【請求項２】
赤外線ビームを出射する投光部と、前記投光部からの赤外線ビームを受光する受光部とを備え、
人体等による前記赤外線ビームの遮断により人体等を検知する防犯用センサ装置であって、
前記投光部のカバーが外されたとき、投光部からの赤外線ビームの出射が継続されるとともに、
前記投光部に、投光部のカバーが外されたとき手動操作により作動し、光軸調整作業時であることを示す識別信号を出力する手動作動スイッチと、前記識別信号を投光部から受光部に送出させる送信回路とが設けられ、
前記受光部に、前記送信回路からの前記識別信号を受信する受信回路と、光軸調整作業時に前記送信回路と前記受信回路とが接続された状態で前記識別信号を受信して前記カバーの取外しを報知するための信号を出力する認識回路とが設けられている防犯用センサ装置。
【請求項３】
請求項１または２において、前記送信回路は、前記投光部から出射される赤外線ビームに前記識別信号を重畳させるものであり、前記認識回路は前記受光部の受光信号から前記識別信号を弁別するものである防犯用センサ装置。
【発明の詳細な説明】
【０００１】
【発明の属する技術分野】
本発明は、投光部から出射する赤外線ビームを受光部で常に受光し、この赤外線ビームを不法侵入者が遮断したとき警報を発する防犯用センサ装置に関する。
【０００２】
【従来の技術】
防犯用センサ装置は、投光部と受光部を適宜の距離離れた位置に配置し、両者の光軸を正確に合わせることで、壁面や地面等で反射された赤外線ビームの迷光量を少なくして、侵入者の検知能力を高めている。しかし、投光部と受光部の距離が遠くなると、両者の光軸調整作業が難しくなり、作業時間が長くなる。従来の防犯用センサ装置では、検知動作の妨害行為を検出するため、投光部の投光器や受光部の受光器の前面を覆っているカバーが取外されたとき、投光動作および受光動作を停止して、警報を送出するように構成されている。
【０００３】
このため、カバーを外して行う光軸調整作業時には、作業者の手動操作によりタイマーを作動させ、タイマーで計時している間は、投光動作および受光動作を継続し、光軸調整に必要な赤外線ビームの出射を継続するようにしている。しかし、タイマーで計時している間だけ赤外線ビームの出射を継続する構成では、調整作業者に、「一定時間内に光軸調整を済ませなければならない」という意識を持たせるため、光軸調整が正確に行われないおそれがあった。
また、投光部と受光部の設置距離が遠くなると、光軸調整が難しくなって作業時間も長くなる。このため、途中でタイマー計時が終了すると赤外線ビームの出射が停止するので、再度タイマーを作動させて赤外線ビームを出射させる操作が必要となり、調整作業が一時中断するために調整作業の連続性が損なわれ、作業効率が低下するとともに、光軸調整精度も低下するおそれがあった。
【０００４】
【発明が解決しようとする課題】
本発明は、前記課題を解決して、光軸調整作業を必要な時間継続して行うことのできる防犯用センサ装置を提供することを目的とする。
【０００５】
【課題を解決するための手段】
上記目的を達成するために、本発明の第１構成に係る防犯用センサ装置は、赤外線ビームを出射する投光部と、前記投光部からの赤外線ビームを受光する受光部とを備え、人体等による前記赤外線ビームの遮断により人体等を検知する防犯用センサ装置であって、前記投光部のカバーが外されたとき、投光部からの赤外線ビームの出射が継続されるとともに、前記投光部に、投光部のカバーが外されたとき作動し、その状態を示す識別信号を出力する自動作動スイッチと、前記識別信号を投光部から受光部に送出させる送信回路とが設けられ、前記受光部に、前記送信回路からの前記識別信号を受信する受信回路と、光軸調整作業時に前記送信回路と前記受信回路とが接続された状態で前記識別信号を受信して前記カバーの取外しを報知するための信号を出力する認識回路とが設けられている。
【０００６】
上記構成によれば、投光部のカバーが外されると、自動作動スイッチが作動してカバーが外されたことを示す識別信号が受光部に送出されるとともに、投光部からの赤外線ビームの出射は継続される。したがって、光軸調整作業が容易となる。受光部の認識回路は、受信した識別信号から、投光部のカバーが外されていることを報知する信号を送出するので、受光部側で投光部のカバーが外されていることを認知して、警報を発することもできる。
【０００７】
本発明の第２構成に係る防犯用センサ装置は、赤外線ビームを出射する投光部と、前記投光部からの赤外線ビームを受光する受光部とを備え、人体等による前記赤外線ビームの遮断により人体等を検知する防犯用センサ装置であって、前記投光部のカバーが外されたとき、投光部からの赤外線ビームの出射が継続されるとともに、前記投光部に、投光部のカバーが外されたとき手動操作により作動し、光軸調整作業時であることを示す識別信号を出力する手動作動スイッチと、前記識別信号を投光部から受光部に送出させる送信回路とが設けられ、前記受光部に、前記送信回路からの前記識別信号を受信する受信回路と、光軸調整作業時に前記送信回路と前記受信回路とが接続された状態で前記識別信号を受信して前記カバーの取外しを報知するための信号を出力する認識回路とが設けられている。
【０００８】
上記構成によれば、光軸調整作業者が投光部のカバーを外したとき、作業者が手動作動スイッチを操作すると、光軸調整作業時であることを示す識別信号が受光部に送出されるとともに、投光部からの赤外線ビームの出射は継続される。したがって、光軸調整作業が容易となる。受光部の認識回路は、受信した識別信号から、投光部のカバーが外されていることを報知する信号を送出するので、受光部側で投光部のカバーが外されていることを認知して、警報を発することもできる。
【０００９】
本発明の好ましい実施形態においては、前記送信回路は、前記投光部から出射される赤外線ビームに前記識別信号を重畳させるものであり、前記認識回路は前記受光部の受光信号から前記識別信号を弁別するものである。
上記構成によれば、投光部から出射される赤外線ビームに識別信号が重畳されて受光部に送出され、受光部の認識回路で前記識別信号が弁別されるので、識別信号のみを送受信するための装置を設ける必要がなく、装置の構成を簡素化できる。
【００１０】
【発明の実施の形態】
以下、本発明の実施形態を図面に基づいて説明する。
図１に示すように、この防犯用センサ装置は、赤外線ビームＩＲを出射する投光部１と、出射された赤外線ビームＩＲを受光する受光部２とを備えている。投光部１は壁などの取付面に取り付けられるベース９と、このベース９を覆うカバー１０とを有し、受光部２も同様に、ベース１９と、このベース１９を覆うカバー２０とを有する。
【００１１】
図２に本発明の第１実施形態に係る防犯用センサ装置のブロック図を示す。前記投光部１の投光器１１と受光部２の受光器２１は、不法侵入者を検知しようとする領域を挟む位置に、互いの光軸が一致する向きで設置される。前記投光器１１は、図示していない赤外線発光ダイオード等の発光素子と、投光する赤外線ビームＩＲを形成するための投光レンズまたは反射ミラーのような送信側光学系および光軸調整機構とを備えており、発光素子が、投光器駆動回路１２により所定周波数で発光駆動されて、図３（Ａ）に示すパルス変調光からなる赤外線ビームＩＲが、投光部１の前面を覆うカバー１０を通して出射される。図１のベース９には、後述するようにセンサ回路要素が装着され、このセンサ回路要素がカバー１０により覆われる。
【００１２】
一方、前記受光部２の受光器２１は、図示していない受光レンズまたは集光ミラーのような受信側光学系と、フォトダイオード等の受光素子および光軸調整機構とを備えており、受光素子は、受光部２の前面を覆うカバー２０を通して入射した赤外線ビームＩＲを受光し、その赤外線受光量に応じたレベルの電気信号を出力する。この電気信号は、増幅器２２で増幅されて検波器２３に入力され、迷光成分を除去したパルス変調光のレベルに応じた信号Ａが出力される。この出力信号Ａは、判別回路２４において予め設定された侵入検知レベル以下であるか否かが判別され、前記検知レベル以下のとき検知信号が警報回路２５に出力され、警報回路２５から警報信号が図１の警備センタ３０に出力されて、不法侵入者があることを報知するように構成されている。図１のベース１９には、後述するようにセンサ回路要素が装着され、このセンサ回路要素がカバー２０により覆われる。
【００１３】
本実施形態の投光器１１と受光器２１の光軸調整機構は、カバー１０およびカバー２０を取外した状態で行うように構成されており、投光器１１は、カバー１０を取外したときも赤外線ビームＩＲの出射を継続する。また、投光器１１と受光器２１の光軸調整は、通常、投光器１１の光軸調整を行ったのち、受光器２１の光軸調整を行い、必要に応じてこの光軸調整を繰り返す。
【００１４】
光軸調整にあたっては、まず、警備センタ３０で光軸調整モードに設定しておき、投光器１１および受光器２１のカバー１０，２０を取り外し、投光器１１の光軸の向きを、投光器１１に組み込まれた光学的な照準器（図示せず）を用いて、目測で受光器２１に対向させる。ここで、投光器１１の光軸調整のためにカバー１０が取外されると、機械式または磁気式等の自動作動スイッチである第１スイッチ１６が作動し、識別信号送信回路１７から図３（Ｂ）に示す高周波パルス信号であるカバー取外し識別信号Ｂを投光器駆動回路１２に出力し、投光器１１から図３（Ｃ）に示す、侵入者検知用のパルス状の赤外線ビームＩＲに識別信号Ｂを重畳した波形の赤外線ビーム（ＩＲ＋Ｂ）を出射する。受光部２では、検波器２３で識別信号Ｂが分離され、識別信号認識回路２８で識別信号Ｂが認識されると、投光部１のカバー１０が取外されていることを示す報知信号が送出され、これによって、受光部２側で、投光部１が光軸調整作業中であることを認識することができる。
【００１５】
投光器１１の光軸調整は、受光部２に設けられた光軸調整信号送信部２７と、投光部１の光軸調整信号受信部１４とを通信線３もしくは無線で接続し、受光部２のレベルメータ２６の表示を投光部１の光軸調整信号受信部１４に接続されたレベルメータ１５でモニターしながら、レベルメータ１５の指示値が最大となるように、投光器１１の水平方向および垂直方向の光軸を微調整することで行う。
【００１６】
受光器２１側では、図２の検波器２３の出力信号Ａのレベルを表示するレベルメータ２６の振れが最大となるように、受光器２１の水平方向および垂直方向の光軸を、受光器２１に組込まれた照準器（図示せず）を用いて調整する。
【００１７】
なお、投光部１のセンサ回路要素（投光器１１，投光器駆動回路１２，光軸調整信号受信部１４，レベルメータ１５，第１スイッチ１６，識別信号送信回路１７）は、図１のベース９に取り付けられており、図２の受光部２のセンサ回路要素（受光器２１，増幅器２２，検波器２３，判別回路２４，警報回路２５，レベルメータ２６光軸調整信号送信部２７，識別信号認識回路２８）は、図１のベース１９に取り付けられている。
【００１８】
光軸調整が終了したのち、カバー１０，２０を装着する。このカバー１０の装着により第１スイッチ１６がＯＦＦになり、識別信号Ｂの送出が停止する。つぎに通信線３を取外し、不法侵入者検知モードに移行する。
【００１９】
本実施形態によれば、投光器１１の光軸調整のために、カバー１０を取外しても、赤外線ビームＩＲの出射が停止しないので、光軸調整を時間の制限を受けることなく続行することができ、作業能率が向上するとともに、調整精度も向上する。
他方、受光部２において、投光部１の投光器１１の光軸調整が行われていることを認識できるので、光軸調整時の受光レベルの低下に伴って警報信号が送出されても、不法侵入者検知と誤認することがない。また、不法侵入者検知モード時は、投光部１のカバー１０が取外されると識別信号Ｂが受光部２で受信されて認識されるので、警報を発することができる。
【００２０】
図４は、本発明の第２実施形態に係る防犯用センサ装置のブロック図を示す。図４において、図２と同一符号はそれぞれ同一構成部分を示しているので、その詳しい説明を省略する。本実施形態が前記第１実施形態と相違する点は、図１の自動作動スイッチである第１スイッチ１６に代えて、光軸調整作業者の手動操作によって作動し、識別信号送信回路１７から識別信号Ｂを送出し、次の操作によって送出を停止させる手動作動スイッチである第２スイッチ１８を設けた点である。
【００２１】
本実施形態によれば、投光器１１の光軸調整時に、カバー１０を取外したとき、第２スイッチ１８をＯＮにして識別信号Ｂを重畳した赤外線ビーム（ＩＲ＋Ｂ）を受光部２に送信し、投光器１１の光軸調整が終了すると、カバー１０を装着したのち第２スイッチ１８をＯＦＦにして識別信号Ｂの送出を停止することで、不法侵入者検知モードに移行する。したがって、前記第１実施形態と同様に時間の制限なく、投光器１１の光軸調整を行うことができる。
【００２２】
なお、前記各実施形態では、赤外線ビームに識別信号を重畳して受光部に送出し、受光部で識別信号を検出してカバーが取外されていることを報知するように構成したが、識別信号を無線の電波信号で送受信する構成としてもよく、また、光軸調整時のみ接続する通信線を介して識別信号を送受信する構成としても、前記実施形態と同様の効果が得られる。
【００２３】
【発明の効果】
以上説明したように、本発明の防犯用センサ装置は、光軸調整のために投光部のカバーが取外されたとき作動する第１スイッチ、または手動操作によって作動する第２スイッチを設け、前記スイッチが作動したとき前記投光部から前記受光部に向かって投光部のカバーが取外されたことを示す識別信号を送出し、受光部において、送られてきた識別信号を検出してカバーが取外されたことを報知する信号を出力するように構成する。投光部のカバーを外しても赤外線ビームは出射され続けるので、カバーを外して行う投光部の光軸調整作業中は、時間の制限を受けることなく光軸調整を行うことができる。したがって、光軸調整作業の能率向上と、光軸調整精度の向上が図れる。
【図面の簡単な説明】
【図１】本発明の第１実施形態に係る防犯用センサ装置を示す側面図である。
【図２】同装置の回路構成を示すブロック図である。
【図３】第１実施形態の赤外線ビームと識別信号の波形を示す図である。
【図４】本発明の第２実施形態に係る防犯用センサ装置の回路構成を示すブロック図である。
【符号の説明】
１…投光部、２…受光部、３…通信線、９，１９…ベース、１０，２０…カバー、１１…投光器、１２…投光器駆動回路、１４…光軸調整信号受信部、１５，２６…レベルメータ、１６…第１スイッチ、１７…識別信号送信回路、１８…第２スイッチ、２１…受光器、２２…増幅器、２３…検波器、２４…判別回路、２５…警報回路、２７…光軸調整信号送信部、２８…識別信号認識回路。
【図１】
0004761339.tif 000002
【図２】
0004761339.tif 000003
【図３】
0004761339.tif 000004
【図４】
0004761339.tif 000005